(57)【要約】【課題】放送番組がビデオオンデマンドで提供予定の放送番組であるか否かを視聴者に知らせることができるテレビ装置を提供する。【解決手段】テレビ装置１３３においては、放送番組の一覧を表すＥＰＧを作成する際に、放送番組毎のＶＯＤ情報に基づいてＶＯＤ（ビデオオンデマンド）でコンテンツとして提供予定の放送番組があるか否かの判定が行われる（ステップＳを１００５）。ここで、ＶＯＤでコンテンツとして提供予定の放送番組があれば、該ＶＯＤでコンテンツとして提供予定の放送番組に対してＶＯＤアイコンが付加され（ステップＳ１００６）、ＶＯＤでコンテンツとして提供予定の放送番組と他の放送番組とが区別可能なＥＰＧが作成される。【選択図】図１０
2008263434.tif 000002
【特許請求の範囲】
【請求項１】
放送番組を受信するテレビ装置であって、
放送番組毎にビデオオンデマンドでコンテンツとして提供予定の放送番組であるか否かを示すビデオオンデマンド情報を含み、放送番組の一覧を表す番組表を構成するための番組情報を受信する受信手段と、
前記受信した番組情報に基づいて放送番組の一覧を表す番組表を作成する番組表作成手段と、
前記作成された番組表を表示するように制御する表示制御手段とを備え、
前記番組表作成手段は、前記受信した番組情報に含まれる放送番組毎のビデオオンデマンド情報に基づいてビデオオンデマンドでコンテンツとして提供予定の放送番組があるか否かを判定し、該ビデオオンデマンドでコンテンツとして提供予定の放送番組があれば、該ビデオオンデマンドでコンテンツとして提供予定の放送番組を他の放送番組と区別可能な番組表を作成することを特徴とするテレビ装置。
【請求項２】
前記番組表作成手段は、前記ビデオオンデマンドでコンテンツとして提供予定の放送番組に対して、ビデオオンデマンドでコンテンツとして提供予定の放送番組であることを明示する情報を付加することによって、該ビデオオンデマンドでコンテンツとして提供予定の放送番組を他の放送番組と区別可能な番組表を作成することを特徴とする請求項１に記載のテレビ装置。
【請求項３】
前記番組情報には、ビデオオンデマンドでコンテンツとして提供予定の放送番組と対応付けられる放送番組の視聴可能期間、課金の有無、コマーシャルの有無の少なくとも１つの情報を示す付帯情報が含まれ、
前記番組表作成手段は、前記ビデオオンデマンドでコンテンツとして提供予定の放送番組に対して前記付帯情報が示す情報が付加された番組表を作成することを特徴とする請求項１に記載のテレビ装置。
【請求項４】
過去の受信した番組情報を蓄積する蓄積手段を備え、
前記番組表作成手段は、過去の番組表の表示指示が入力されると、前記蓄積手段に蓄積されている前記過去の受信した番組情報に含まれる放送番組毎のビデオオンデマンド情報に基づいてビデオオンデマンドでコンテンツとして提供予定の放送番組があるか否かを判定し、該ビデオオンデマンドでコンテンツとして提供予定の放送番組があれば、該ビデオオンデマンドでコンテンツとして提供予定の放送番組を他の放送番組と区別可能な番組表を作成することを特徴とする請求項１に記載のテレビ装置。
【請求項５】
前記番組情報には、ビデオオンデマンドでコンテンツとして提供予定の放送番組の提供元を示す提供元情報が含まれ、
さらに、前記ビデオオンデマンドでコンテンツとして提供予定の放送番組のうち、１つの放送番組がビデオオンデマンドで視聴するコンテンツとして選択された場合、前記提供元情報が示す提供元から提供される、前記選択されたビデオオンデマンドでコンテンツとして提供予定の放送番組の配信を受ける手段を備えることを特徴とする請求項１に記載のテレビ装置。
【請求項６】
放送番組を受信するテレビ装置であって、
放送番組毎にビデオオンデマンドでコンテンツとして提供予定の放送番組であるか否かを示すビデオオンデマンド情報を受信する受信手段と、
前記受信したビデオオンデマンド情報に基づいて現在視聴中の放送番組がビデオオンデマンドでコンテンツとして提供予定の放送番組であるか否かを判別する判別手段と、
現在視聴中の放送番組がビデオオンデマンドでコンテンツとして提供予定の放送番組であると判別された場合、該放送番組がビデオオンデマンドでコンテンツとして提供予定の放送番組であることを明示する情報を表示するように制御する表示制御手段と
を備えることを特徴とするテレビ装置。
【請求項７】
放送番組を受信するテレビ装置の番組情報表示方法であって、
放送番組毎にビデオオンデマンドでコンテンツとして提供予定の放送番組であるか否かを示すビデオオンデマンド情報を含み、放送番組の一覧を表す番組表を構成するための番組情報を受信する受信工程と、
前記受信した番組情報に基づいて放送番組の一覧を表す番組表を作成する番組表作成工程と、
前記作成された番組表を前記テレビ装置に表示するように制御する表示制御工程とを備え、
前記番組表作成工程は、前記受信した番組情報に含まれる放送番組毎のビデオオンデマンド情報に基づいてビデオオンデマンドでコンテンツとして提供予定の放送番組があるか否かを判定し、該ビデオオンデマンドでコンテンツとして提供予定の放送番組があれば、該ビデオオンデマンドでコンテンツとして提供予定の放送番組を他の放送番組と区別可能な番組表を作成することを特徴とするテレビ装置の番組情報表示方法。
【請求項８】
放送番組を受信するテレビ装置の番組情報表示方法であって、
放送番組がビデオオンデマンドでコンテンツとして提供予定の放送番組であるか否かを示すビデオオンデマンド情報を受信する受信工程と、
前記受信したビデオオンデマンド情報に基づいて現在視聴中の放送番組がビデオオンデマンドでコンテンツとして提供予定の放送番組であるか否かを判別する判別工程と、
現在視聴中の放送番組がビデオオンデマンドでコンテンツとして提供予定の放送番組であると判別された場合、該放送番組がビデオオンデマンドでコンテンツとして提供予定の放送番組であることを明示する情報を前記テレビ装置に表示するように制御する表示制御工程と
を備えることを特徴とするテレビ装置の番組情報表示方法。
【発明の詳細な説明】
【技術分野】
【０００１】
本発明は、放送番組を受信するテレビ装置およびその番組情報表示方法に関する。
【背景技術】
【０００２】
現在の放送システムにおいては、放送番組の番組表が、電子データとして、放送局からの電波、ケーブル放送局からのケーブル伝送信号などに重畳され、各家庭に配信される。これにより、各家庭においては、番組表を、電子番組表（ＥＰＧ）として確認することが可能である。
【０００３】
一般的に、ＥＰＧを示すＥＰＧ情報は、アナログ放送の場合には、映像データの垂直ブランキング区間（ＶＢＩ）に、デジタル放送の場合には、ＭＰＥＧ２−ＴＳ（トランスポートストリーム）にそれぞれ重畳される。
【０００４】
このＥＰＧは、所定期間内（例えば、現在から一週間以内）に放送される放送番組の一覧を表す番組表であり、このＥＰＧを利用することによって、多くの放送番組の中から所望する放送番組を選択し、その録画設定を容易に行うことができるなど、多くの利便性が視聴者に提供される。例えば、ＥＰＧにより表示される番組表から、現在から１週間先までの期間内に放送される放送番組を知ることができるので、所望する放送番組の録画設定を容易に行うことができる。
【０００５】
しかし、ＥＰＧは、例えば１週間前の番組表など、過去の番組表を提供しないので、ＥＰＧにより過去に放送された放送番組を知ることはできない。そこで、過去のＥＰＧ情報を蓄積し、この蓄積された過去のＥＰＧ情報に基づいて過去の番組表を表示し、この過去の番組表から所望する放送番組が指定された場合に、その番組をどのようにして入手するかを提示する技術が提案されている（特許文献１参照）。
【０００６】
一方で、通常の放送とは別に、ユーザが所望するタイミングで放送番組を視聴可能なビデオオンデマンドシステム（以下、ＶＯＤという）がある。このＶＯＤは、コンテンツ配給元により準備された、映画、スポーツ番組などのコンテンツの中から、ユーザにより要求されたコンテンツを、要求元のユーザのみに配信するシステムである。ＶＯＤの仕組みには、様々な形態があり、その一つとして、インターネットに接続可能なサーバ内にコンテンツを格納し、ユーザにより要求されたコンテンツを、上記サーバからインターネットを介して要求元のユーザ（家庭）に配信するものがある。この場合は、コンテンツの伝送には、ＩＰ（Internet Protocol）が用いられるので、ＶＯＤのサービスの提供を受ける家庭においては、例えばインターネットに接続可能なセットトップボックスにより、配信されたコンテンツが受信され、再生される。
【０００７】
このような形態のＶＯＤによりコンテンツを提供する事業者は、従来のテレビ放送事業者ではなく、ネットワーク設備を所有する固定電話事業者またはケーブルテレビ事業者であることが多い。
【０００８】
ケーブルテレビ事業者は、双方向の通信を実現させる方法として、ＤＯＣＳＩＳ（Data Over Cable Service Interface Specifications）（登録商標)という標準方式を用いており、この仕組みによってＶＯＤを実現している。各家庭は、ＤＯＣＳＩＳに対応したセットトップボックスを利用することにより、ＶＯＤのサービスを享受することができる。ケーブルテレビ事業者は、固定電話事業者とは異なり、従来のテレビ放送も行うことから、従来のテレビ放送とＶＯＤのサービスを、それぞれ、独立したサービスとして提供することが多い。そのため、視聴者は、テレビ放送のサービスを利用する場合とＶＯＤのサービスを利用する場合とは、操作が異なるＧＵＩ（Graphical User Interface）をそれぞれ用いて対応するサービスを利用する。
【０００９】
最近は、ケーブルテレビ事業者が、テレビ放送によって一度放送されたドラマ、スポーツ番組などのコンテンツをＶＯＤのコンテンツとして再度、ユーザに提供するケースが増している。このようなＶＯＤによるコンテンツの提供は、特に、リアルタイム性が低いコンテンツを録画し、後に視聴するようなユーザに対しては、有効なサービスの一つである。
【特許文献１】特開２００２−３３５４６３号公報
【発明の開示】
【発明が解決しようとする課題】
【００１０】
しかしながら、例えば視聴者がＥＰＧで放送番組を確認した際に、数時間前に放送された放送番組の中に見たい放送番組があった場合に当該番組が録画されていなければ、当該放送番組を視聴することができない。また、上記視聴者が見たい放送番組が、後にケーブルテレビ事業者によってＶＯＤのコンテンツとして提供される予定の放送番組であっても、この時点では、視聴者はそのことを知ることはできない。その結果、視聴者は、その放送番組を見逃すことがあった。
【００１１】
また、例えば視聴者がＥＰＧを確認した際に、見たい放送番組があるにも関わらず、視聴する時間がないため、当該放送番組を視聴することができないことがある。同様に、上記見たい放送番組が後にＶＯＤのコンテンツとして提供される放送番組であっても、その時点では、そのことを知ることはできないので、結局ユーザは、上記放送番組を見逃すことがあった。
【００１２】
本発明の目的は、放送番組がビデオオンデマンドで提供予定の放送番組であるか否かを視聴者に知らせることができるテレビ装置および番組情報表示方法を提供することにある。
【課題を解決するための手段】
【００１３】
本発明は、上記目的を達成するため、放送番組を受信するテレビ装置であって、放送番組毎にビデオオンデマンドでコンテンツとして提供予定の放送番組であるか否かを示すビデオオンデマンド情報を含み、放送番組の一覧を表す番組表を構成するための番組情報を受信する受信手段と、前記受信した番組情報に基づいて放送番組の一覧を表す番組表を作成する番組表作成手段と、前記作成された番組表を表示するように制御する表示制御手段とを備え、前記番組表作成手段は、前記受信した番組情報に含まれる放送番組毎のビデオオンデマンド情報に基づいてビデオオンデマンドでコンテンツとして提供予定の放送番組があるか否かを判定し、該ビデオオンデマンドでコンテンツとして提供予定の放送番組があれば、該ビデオオンデマンドでコンテンツとして提供予定の放送番組を他の放送番組と区別可能な番組表を作成することを特徴とするテレビ装置を提供する。
【００１４】
本発明は、上記目的を達成するため、放送番組を受信するテレビ装置であって、放送番組毎にビデオオンデマンドでコンテンツとして提供予定の放送番組であるか否かを示すビデオオンデマンド情報を受信する受信手段と、前記受信したビデオオンデマンド情報に基づいて現在視聴中の放送番組がビデオオンデマンドでコンテンツとして提供予定の放送番組であるか否かを判別する判別手段と、現在視聴中の放送番組がビデオオンデマンドでコンテンツとして提供予定の放送番組であると判別された場合、該放送番組がビデオオンデマンドでコンテンツとして提供予定の放送番組であることを明示する情報を表示するように制御する表示制御手段とを備えることを特徴とするテレビ装置を提供する。
【００１５】
本発明は、上記目的を達成するため、放送番組を受信するテレビ装置の番組情報表示方法であって、放送番組毎にビデオオンデマンドでコンテンツとして提供予定の放送番組であるか否かを示すビデオオンデマンド情報を含み、放送番組の一覧を表す番組表を構成するための番組情報を受信する受信工程と、前記受信した番組情報に基づいて放送番組の一覧を表す番組表を作成する番組表作成工程と、前記作成された番組表を前記テレビ装置に表示するように制御する表示制御工程とを備え、前記番組表作成工程は、前記受信した番組情報に含まれる放送番組毎のビデオオンデマンド情報に基づいてビデオオンデマンドでコンテンツとして提供予定の放送番組があるか否かを判定し、該ビデオオンデマンドでコンテンツとして提供予定の放送番組があれば、該ビデオオンデマンドでコンテンツとして提供予定の放送番組を他の放送番組と区別可能な番組表を作成することを特徴とするテレビ装置の番組情報表示方法を提供する。
【００１６】
本発明は、上記目的を達成するため、放送番組を受信するテレビ装置の番組情報表示方法であって、放送番組がビデオオンデマンドでコンテンツとして提供予定の放送番組であるか否かを示すビデオオンデマンド情報を受信する受信工程と、前記受信したビデオオンデマンド情報に基づいて現在視聴中の放送番組がビデオオンデマンドでコンテンツとして提供予定の放送番組であるか否かを判別する判別工程と、現在視聴中の放送番組がビデオオンデマンドでコンテンツとして提供予定の放送番組であると判別された場合、該放送番組がビデオオンデマンドでコンテンツとして提供予定の放送番組であることを明示する情報を前記テレビ装置に表示するように制御する表示制御工程とを備えることを特徴とするテレビ装置の番組情報表示方法を提供する。
【発明の効果】
【００１７】
本発明によれば、放送番組がビデオオンデマンドで提供予定の放送番組であるか否かを視聴者に知らせることができる。その結果、時間的な制約により、視聴したい放送番組を視聴することができない場合であっても、当該放送番組を後にビデオオンデマンドで視聴することができる。また、上記放送番組の録画設定操作を行うなどの作業を行う必要がなくなる。
【発明を実施するための最良の形態】
【００１８】
以下、本発明の実施の形態について図面を参照しながら説明する。
【００１９】
（第１の実施の形態）
図１は本発明の第１の実施の形態に係るテレビ装置に放送番組を供給するケーブルテレビ事業者の放送システムの構成例を模式的に示す図である。
【００２０】
図１に示すように、ケーブルテレビ事業者によって管理されるケーブルネットワーク１１０には、電波放送ヘッドエンド１１１、ケーブル放送ヘッドエンド１１３、およびＶＯＤサーバ１１２が接続されている。また、ケーブルネットワーク１１０には、複数のＣＭＴＳ（Cable Modem Terminal Station）１３０が接続されている。
【００２１】
電波放送ヘッドエンド１１１は、衛星放送および地上波放送を受信し、これらの放送をケーブル放送に変換してケーブル伝送を行う。ケーブル放送ヘッドエンド１１３は、ケーブルテレビ事業者独自のコンテンツの放送を管理する。ＶＯＤサーバ１１２は、ＶＯＤのコンテンツを伝送可能に保持する。各ＣＭＴＳ１３０は、各世帯への伝送を担う。各ＣＭＴＳ１３０は、世帯毎に設けられているＣＭ（Cable Modem）１３１の接続を管理する。各世帯において、ＣＭ１３１は、セットトップボックス（ＳＴＢ）１３２と接続され、さらにＳＴＢ１３２は、テレビ装置１３３と接続される。これらＣＭ１３１、ＳＴＢ１３２、テレビ装置１３３は、一つの装置として構成されている場合もある。また、ケーブルネットワーク１１０は、ＩＰによる双方向通信を、上述のＤＯＣＳＩＳによって実現可能であるため、インターネット１２０とも接続されている。
【００２２】
電波放送ヘッドエンド１１１によって受信された放送番組およびケーブル放送ヘッドエンド１１３によって管理されているケーブルテレビ事業者独自の放送番組は、それぞれケーブル伝送可能な伝送データに変換されて各ＣＭＴＳ１３０に伝送される。ここで、上記放送番組がデジタル放送の場合、映像の伝送方式はＭＰＥＧ２であり、ＭＰＥＧ２−ＴＳにＥＰＧ情報が多重して伝送される。
【００２３】
次に、ＭＰＥＧ２−ＴＳのストリーム内におけるＥＰＧ情報の構成例について図２を参照しながら説明する。図２はＭＰＥＧ２−ＴＳのストリーム内におけるＥＰＧ情報の構成例を示す図である。
【００２４】
ＭＰＥＧ２−ＴＳは、複数のＴＳパケット２１０により構成され、各ＴＳパケット２１０は、ヘッダ部（header）２１１とペイロード部（TS Payload）２１２（合計１８８バイト）で構成される。ＥＰＧ情報は、複数のペイロード部２１２に分割して格納され、その基本構成は、ＭＧＴ（Master Guide Table）２２１、ＶＣＴ（Virtual Channel Table）２２２、ＲＲＴ（Rating Region Table）２２３、ＥＩＴ（Event Information Table）２２４からなる。
【００２５】
ここでは、上記ＥＰＧ情報の構成の概略仕様について説明し、詳細な説明は省略する。
【００２６】
ＶＣＴ２２２には、実際の放送番組のケーブル伝送時の仕様周波数帯とユーザが認識可能なチャンネル番号やチャンネル名を関連づける情報が含まれている。ＥＩＴ２２４には、ＶＣＴ２２２で規定される各チャンネルの番組情報が時系列で格納され、このＥＩＴ２２４に基づいて受信側は、ＥＰＧを構成して表示する。ＲＲＴ２２３には、パレンタル視聴制御（年齢や地域による視聴制限）のための情報が含まれている。ＭＧＴ２２１は、ＶＣＴ２２２、ＲＲＴ２２３、ＥＩＴ２２４を、ＭＰＥＧ２−ＴＳで規定されるＰｒｏｇｒａｍ  ＩＤによって管理するためのテーブルである。ＭＧＴ２２１、ＶＣＴ２２２およびＲＲＴ２２３のＰｒｏｇｒａｍ  ＩＤは、「０ｘ１ＦＦＢ」に固定されている。従って、受信側は、ＭＧＴ２２１を抽出した後に、ＥＩＴ２２４を抜き出し、ＥＰＧを構築することになる。本実施の形態においては、衛星放送または地上波放送のＥＰＧに対して、ケーブルテレビ独自の放送に関連するＥＰＧが重畳されて伝送されるものとする。
【００２７】
次に、テレビ装置１３３の構成について図３を参照しながら説明する。図３は図１のテレビ装置１３３の構成を示すブロック図である。
【００２８】
テレビ装置１３３は、図３に示すように、同軸ケーブル３００を介して、送信されたＲＦデータ（放送データ）を受信する。同軸ケーブル３００で伝送されるＲＦデータは、周波数帯毎にチャンネルが区別されるため、チューナ３１１によって、所望のチャネルにチューニングされる。本実施の形態においては、全てのチャネルにＥＰＧが含まれるものとする。
【００２９】
チューナ３１１によってチューニングされたＲＦデータは、デモジュレータ３１２によって復調され、ＭＰＥＧ２−ＴＳデータとして、Ｄｅｍｕｘ（デマルチプレクス）処理部３１３に入力される。Ｄｅｍｕｘ処理部３１３は、上記ＭＰＥＧ２−ＴＳデータを、音声、映像、プライベートの各プログラムストリームに分割する。音声ストリームのデータと映像ストリームのデータは、復号処理部３１４に、プライベートストリームのデータは、ＥＰＧ処理部３２０にそれぞれ入力される。
【００３０】
復号処理部３１４は、入力された音声ストリームのデータと映像ストリームのデータの復号処理を行う。復号された音声データは、Ｄ／Ａ（デジタル／アナログ変換器）３２２を介してスピーカ３１５に、復号された映像データは、映像ＭＵＸ部３１６にそれぞれ入力される。
【００３１】
ＥＰＧ処理部３２０は、プライベートストリームのデータから図２に示すＥＰＧ情報を抽出する。この抽出されたＥＰＧ情報は、ＣＰＵ３１８に入力される。ＣＰＵ３１８は、入力されたＥＰＧ情報に基づいて、ＥＰＧを表すためのＥＰＧ表示画面情報を作成する。このＥＰＧ表示画面情報の作成の詳細について後述する。このＥＰＧ表示画面情報は、表示画面制御部（表示制御手段）３２１に入力される。
【００３２】
表示画面制御部３２１は、入力されたＥＰＧ表示画面情報の表示制御を行う。具体的には、表示画面制御部３２１は、ＥＰＧ表示画面情報を映像ＭＵＸ部３１６に送り、映像ＭＵＸ部３１６は、映像データと上記ＥＰＧ表示画面情報を合成（例えば、αブレンド合成）し、モニタ３１７に出力する。モニタ３１７は、上記映像データと上記ＥＰＧ表示画面情報とが合成されたＥＰＧを表示する。なお、映像ＭＵＸ部３１６は、上記ＥＰＧ表示画面情報のみをモニタ３１７に出力する構成であってもよい。その場合、モニタ３１７は、ＥＰＧを単独に表示する。
【００３３】
上記チューナ３１１、デモジュレータ３１２、Ｄｅｍｕｘ処理部３１３、復号処理部３１４、ＥＰＧ処理部３２０、表示画面制御部３２１は、バス３３０に接続される。このバス３３０には、ＣＰＵ３１８が接続され、ＣＰＵ３１８は、メモリ３１９に格納されている制御プログラムに従って上記各ブロック３１１〜３１４，３２０，３２１を制御する。
【００３４】
次に、Ｄｅｍｕｘ処理部３１３のＥＩＴの抽出動作について図４および図５を参照しながら説明する。図４は図３のＤｅｍｕｘ処理部３１３のＥＩＴの抽出動作の手順を示すフローチャートである。図５はＭＧＴ内に含まれるＥＩＴに関する属性情報の一例を示す図である。
【００３５】
Ｄｅｍｕｘ処理部３１３は、図４に示すように、まず、ＴＳパケットを受信（ステップＳ６０１）した後、受信したＴＳパケットからＰＩＤの抽出を行う（ステップＳ６０２）。ＭＰＥＧ２−ＴＳには、パケットの識別子としてＰＩＤが割り当てられている。
【００３６】
次いで、Ｄｅｍｕｘ処理部３１３は、抽出されたＰＩＤがＥＰＧ情報を示すＰＩＤ（＝０ｘ１ＦＦＢ）であるか否かを判定する（ステップＳ６０３）。ここで、抽出されたＰＩＤがＥＰＧ情報を示すＰＩＤ（＝０ｘ１ＦＦＢ）である場合、Ｄｅｍｕｘ処理部３１３は、ＭＧＴ、ＶＣＴ、ＲＴＴをメモリ３１９に格納するとともに、ＭＧＴの解析を行う（ステップＳ６０４）。
【００３７】
ここで、例えば図５に示すように、ＥＩＴとして複数のＥＩＴ０〜ＥＩＴ３が含まれているとする。ＥＩＴは各チャネルで放送される３時間分の番組情報を時系列で保持する。直近の３時間分の情報はＥＩＴ０、次の３時間分の情報はＥＩＴ１、さらに次の３時間分の情報はＥＩＴ２，・・・と情報が保持され、最大１２７個のＥＩＴがある。各ＥＩＴは、名称４０１、ＴＹＰＥ４０２およびＰＩＤ４０３を含む。各ＥＩＴは、ＴＹＰＥ４０２によってタイプが区別されている。また、ＰＩＤ４０３を用いることによって各ＥＩＴが識別される。
【００３８】
次いで、Ｄｅｍｕｘ処理部３１３は、ＭＧＴの中にＥＩＴに関する属性情報があるか否かを判定する（ステップＳ６０５）。ここで、ＥＩＴがなければ、Ｄｅｍｕｘ処理部３１３は、再度上記ステップＳ６０１に戻り、ＴＳパケット受信を待つ。これに対し、ＥＩＴがある場合、Ｄｅｍｕｘ処理部３１３は、ＭＧＴに含まれるＥＩＴのＰＩＤを抽出し、抽出されたＰＩＤをメモリ３１９に保持する（ステップＳ６０６）。そして、Ｄｅｍｕｘ処理部３１３は、本処理を終了する。
【００３９】
上記ステップＳ６０３において抽出されたＰＩＤがＥＰＧ情報を示すＰＩＤ（＝０ｘ１ＦＦＢ）でないと判定された場合、Ｄｅｍｕｘ処理部３１３は、先のＥＩＴのＰＩＤがメモリ３１９に保持されているか否かを判定する（ステップＳ６０７）。すなわち、ＰＩＤが抽出済みであるか否かの判定が行われる。このＰＩＤがメモリ３１９に保持されているか否かの判定は、メモリ３１９上のビットを使用して行われる。
【００４０】
上記ステップＳ６０７において先のＥＩＴのＰＩＤがメモリ３１９に保持されていないと判定された場合、Ｄｅｍｕｘ処理部３１３は、本処理を終了し、別の処理例えば音声プログラム、映像プログラムのＰＩＤ抽出処理を実施する。
【００４１】
上記ステップＳ６０７おいて先のＥＩＴのＰＩＤがメモリ３１９に保持されていると判定された場合、Ｄｅｍｕｘ処理部３１３は、上記ステップＳ６０２で抽出されたＰＩＤと上記先のＥＩＴのＰＩＤとが一致するか否かを判定する（ステップＳ６０８）。ここで、抽出されたＰＩＤが上記先のＥＩＴのＰＩＤと一致しない場合、Ｄｅｍｕｘ処理部３１３は、本処理を終了する。
【００４２】
上記ステップＳ６０８において、抽出されたＰＩＤがメモリ３１９に保持されているＥＩＴのＰＩＤと一致すると判定された場合、Ｄｅｍｕｘ処理部３１３は、ＥＩＴのプログラムストリームをＥＰＧ処理部３２０に転送する（ステップＳ６０９）。そして、Ｄｅｍｕｘ処理部３１３は、本処理を終了する。
【００４３】
このＤｅｍｕｘ処理部３１３は、例えば、起動されると、上記処理を開始し、停止されると、上記処理を終了する。そして、次回起動時には、最初から処理が実行される。
【００４４】
次に、ＥＰＧ処理部３２０の処理について図６〜図８を参照しながら説明する。図６は図３のＥＰＧ処理部３２０の処理の手順を示すフローチャートである。図７はＥＩＴのプログラムストリームから抽出された表示に必要な情報の一覧を示す図である。図８はＶＣＴに含まれる情報の一部を示す図である。
【００４５】
ＥＰＧ処理部３２０は、図６に示すように、ＥＩＴのプログラムストリームを受信すると（ステップＳ９０１）、ＥＩＴのプログラムストリームを解析し、ＶＯＤの検出を行う（ステップＳ９０２）。
【００４６】
ここで、ＥＩＴのプログラムストリームは、固定のフォーマットに従って、データが連続して配置されているものである。例えば図７に示すように、ＥＩＴには、ＳｏｕｒｃｅＩＤ７０１が付加されている。このＳｏｕｒｃｅＩＤ７０１は、チャンネルを示す。チャンネルの情報は、上記図４のステップＳ６０４でメモリ３１９に格納されたＶＣＴによって示される。ＶＣＴには、図８に示すように、チャンネル番号５１０、チャンネル名５０２、ＭＰＥＧ２−ＴＳのＴＳＩＤ５０３、Ｐｒｏｇｒａｍ  Ｎｕｍｂｅｒ５０４、伝送周波数５０５、ＳｏｕｒｃｅＩＤ５０６が含まれる。Ｐｒｏｇｒａｍ  Ｎｕｍｂｅｒ５０４は、ＭＰＥＧ２−ＴＳで規定されるＰＡＴ（Program Association Table）のＰｒｏｇｒａｍ  Ｎｕｍｂｅｒと一致するものである。ＳｏｕｒｃｅＩＤ７０１は、ＳｏｕｒｃｅＩＤ５０６に一致するものである。このＶＣＴによって実際のチャンネルのプログラムストリームを特定することができる。これにより、図７のＳｏｕｒｃｅＩＤ７０１によって各チャネルの番組情報を特定することができる。
【００４７】
ＥＩＴには、図７に示すように、放送番組毎に割り振られた固有のＥｖｅｎｔＩＤ７０２、放送番組の開始時刻７０３、放送番組の時間長７０４、放送番組のタイトル（Ｔｉｔｌｅ）７０５の各情報が含まれる。本実施の形態においては、上記の各情報に加えて、放送番組がＶＯＤ（ビデオオンデマンド）でコンテンツとして提供予定の放送番組であるか否か示すＶＯＤ情報（ビデオオンデマンド情報）７０６が付加されている。
【００４８】
上記ＶＯＤ情報７０６の検出は、当該ＶＯＤ情報７０６が予め決められたフォーマットを有するものであれば、容易である。例えば、固有ＩＤを用いて識別するようにしてもよい。
【００４９】
次いで、ＥＰＧ処理部３２０は、ＥＩＴの解析により検出されたＶＯＤ情報が既に取得済みであるか否かを判定する（ステップＳ９０３）。ここで、検出されたＶＯＤ情報が取得済でなければ、ＥＰＧ処理部３２０は、当該ＶＯＤ情報を、図７に示す形式でメモリ３１９に追加記録する（ステップＳ９０４）。また、ＳｏｕｒｃｅＩＤ７０１とＥｖｅｎｔＩＤ７０２が同じであるＥＩＴであっても、それ以外のフィールドが更新されていた場合、メモリ３１９に記録されたＶＯＤ情報７０６は、更新される。
【００５０】
上記ステップＳ９０３において検出されたＶＯＤ情報が既に取得済みであれば、ＥＰＧ処理部３２０は、上記ステップＳ９０４をスキップして本処理を終了する。
【００５１】
次に、ＥＰＧ（番組表）の表示について図９〜図１１を参照しながら説明する。図９はメモリ３１９に保持されている図７のＥＩＴおよび図８のＶＣＴに基づいて作成されたＥＰＧの表示画面の一例を示す図である。図１０はＥＰＧの表示処理の手順を示すフローチャートである。図１１は現在視聴中の放送番組の映像にＶＯＤアイコンを重畳して表示する画面例を示す図である。
【００５２】
例えば図７に示すＥＩＴの場合、ＶＯＤ情報７０６を有する番組としては、ニュースＡ７１０、ニュースＢ７１１、スポーツＢ７１２、音楽Ｃ７１３の４番組がある。このＥＩＴに基づいて、例えば図９に示すようなＥＰＧ（番組表）がＣＰＵ３１８により作成され(番組表作成手段)、モニタ３１７に表示される。このＥＰＧにおいては、ニュースＡ７１０、ニュースＢ７１１、スポーツＢ７１２、音楽Ｃ７１３の４番組のそれぞれに対して、ＶＯＤで視聴可能であることを示すアイコン８０１が付加されている。
【００５３】
ＥＰＧを作成して表示する場合、図１０に示すように、ＣＰＵ３１８は、ユーザからのＥＰＧ表示要求の有無を監視する（ステップＳ１００１）。ここで、ユーザからのＥＰＧ表示要求があると、ＣＰＵ３１８は、メモリ３１９に格納されているＥＰＧ表示用情報（図７のＥＩＴおよび図５のＶＣＴ）を読み出す（ステップＳ１００２）。
【００５４】
次いで、ＣＰＵ３１８は、メモリ３１９からのＥＰＧ表示用情報の読み出しエラーが発生したか否かを判定する（ステップＳ１００３）。ここで、読み出しエラーは、メモリ３１９にＥＰＧ表示用情報が格納されていないまたはメモリ３１９からＥＰＧ表示用情報の読み出しが失敗した場合などに発生するエラーである。読み出しエラーが発生した場合、ＣＰＵ３１８は、エラー表示を行い（ステップＳ１００８）、上記ステップＳ１００１へ戻る。
【００５５】
上記ステップＳ１００２において読み出しエラーが発生していないと判定された場合、ＣＰＵ３１８は、上記ＥＰＧ表示用情報に基づいて、今回表示するＥＰＧを表すための基本ＥＰＧ表示画面情報を作成する（ステップＳ１００４）。この基本ＥＰＧ表示画面情報には、ＥＰＧの操作を行うためのＧＵＩは含まれるが、図８のＶＯＤアイコン８０１を示す情報は含まれていない。
【００５６】
次いで、ＣＰＵ３１８は、上記ＥＰＧ表示用情報のＥＩＴに含まれるＶＯＤ情報に基づいて、今回表示するＥＰＧに含まれる複数の放送番組の中にＶＯＤでコンテンツとして提供予定の放送番組があるか否を判定する（ステップＳ１００５）。ここで、ＶＯＤでコンテンツとして提供予定の放送番組がある場合、ＣＰＵ３１８は、ＥＰＧ内のＶＯＤでコンテンツとして提供予定の放送番組に対して、ＶＯＤアイコンを付加する（ステップＳ１００６）。このＶＯＤアイコンは、放送番組がＶＯＤでコンテンツとして提供される予定の放送番組であることを明示するものである。なお、ＶＯＤ情報として、ＶＯＤで番組が提供される期間（視聴可能期間）等の詳細情報が含まれる場合は、それらの詳細情報を表示できるようにしてもよい。
【００５７】
次いで、ＣＰＵ３１８は、上記基本ＥＰＧ表示画面情報を編集して、ＶＯＤアイコンが付加された放送番組とＶＯＤアイコンが付加されていない放送番組を含むＥＰＧ表示画面情報を作成する（ステップＳ１００７）。このＥＰＧ表示画面情報は、表示画面制御部３２１に送られ、表示画面制御部３２１は、上記ＥＰＧ表示画面情報を映像Ｍｕｘ部３１６に送る。これにより、上記ＥＰＧ表示画面情報に基づいたＥＰＧが、ＶＯＤアイコンが付加された放送番組とＶＯＤアイコンが付加されていない放送番組を含む放送番組の一覧を番組表としてモニタ３１７に表示される。すなわち、ＶＯＤでコンテンツとして提供予定の放送番組と他の放送番組とが区別可能な番組表が表示される。ここで、ＥＰＧは、単独で、または放送番組の映像上に合成されて表示される。そして、ＣＰＵ３１８は、本処理を終了する。
【００５８】
上記ステップＳ１００５においてＶＯＤでコンテンツとして提供予定の放送番組がないと判定された場合、ＣＰＵ３１８は、上記ステップＳ１００６をスキップして、基本ＥＰＧ表示画面情報の編集を行わない。そして、ＣＰＵ３１８は、上記基本ＥＰＧ表示画面情報をＥＰＧ表示画面情報として表示画面制御部３２１に送る（ステップＳ１００７）。表示画面制御部３２１は、上記ＥＰＧ表示画面情報を映像Ｍｕｘ部３１６に送る。これにより、上記ＥＰＧ表示画面情報に基づいたＥＰＧが番組表としてモニタ３１７に表示される。ここで、ＥＰＧは、単独で、または放送番組の映像上に合成されて表示される。そして、ＣＰＵ３１８は、本処理を終了する。
【００５９】
このように、ＥＰＧで表される放送番組のうち、ＶＯＤでコンテンツとして提供予定の放送番組に対してＶＯＤアイコンを付加するので、視聴者は、ＥＰＧを見て、ＶＯＤでコンテンツとして提供予定の放送番組を、事前に知ることができる。その結果、時間的な制約などにより視聴者が視聴したい番組を見ることができない場合でも、後にＶＯＤで上記視聴したい放送番組を視聴することが可能になる。また、視聴したい番組を録画するための設定操作を行う必要がない。
【００６０】
なお、表示するＥＰＧは、図９に示す時間範囲に限定されるものではなく、例えば現時点から１週間先までの番組を表示するものでもよい。
【００６１】
また、過去のＥＰＧの表示指示に応じて、過去に放送された放送番組のＥＰＧを表示可能にすることも可能である。これを実現するためには、過去のＥＩＴおよびＶＣＴの情報をメモリに蓄積し、蓄積された過去のＥＩＴおよびＶＣＴの情報を参照して、過去のＥＰＧを作成すればよい。この際、ＶＯＤでコンテンツとして提供予定の放送番組があれば、上述した同様に、当該放送番組に対しては、ＶＯＤアイコンが付加される。よって、過去に放送された放送番組のＥＰＧを表示することによって、過去の複数の放送番組の中で、ＶＯＤでコンテンツとして提供される予定の放送番組を知ることができる。
【００６２】
また、図１１に示すように、現在視聴中の放送番組の映像と重ね合わせてＶＯＤアイコン８０１を表示するようにしてもよい。これにより、視聴者がＥＰＧを表示させることなく、視聴中の放送番組がＶＯＤでコンテンツとして提供予定の放送番組であることを知ることが可能になる。この場合、ＶＯＤ情報に基づいて、現在視聴中の放送番組がビデオオンデマンドでコンテンツとして提供予定の放送番組であるか否かの判別が行われる。そして、現在視聴中の放送番組がビデオオンデマンドでコンテンツとして提供予定の放送番組であると判別された場合、現在視聴中の放送番組の映像に、ＶＯＤアイコンが重畳されて表示される。
【００６３】
（第２の実施の形態）
次に、本発明の第２の実施の形態について図１２〜図１４を参照しながら説明する。図１２は本発明の第２の実施の形態に係るテレビ装置が受信するＥＩＴの構成例を示す図である。図１３は課金アイコン１２０１が付加されたＥＰＧの表示例を示す図である。図１４はＶＯＤで放送される番組に対して付加される情報の一例を示す図である。
【００６４】
本実施の形態のテレビ装置は、上記第１の実施の形態と同じ構成を有するので、テレビ装置の構成についての説明は省略する。
【００６５】
本実施の形態においてテレビ装置が受信するＥＰＧ情報のＥＩＴは、図１２に示すように、図７に示すＥＩＴに対して課金情報１００１（付加情報）が付加されたものである。この課金情報１００１は、ＶＯＤでコンテンツとして提供予定の放送番組と対応付けられ、その視聴が有料であるか無料であるかを示す情報である。このＥＩＴに基づいてＥＰＧを表示する際の手順は、基本的には、図１０のフローチャートで示す手順と同じである。但し、本実施の形態においては、課金情報１００１に基づいて、ＶＯＤでコンテンツとして提供予定の放送番組の視聴が有料であるか無料であるかを判別するステップが必要である。さらに、上記判別ステップの判別結果に基づいて課金アイコン１２０１を対応する番組に付加するステップが必要である。
【００６６】
よって、本実施の形態においては、例えば図１０のステップＳ１００５においてＶＯＤでコンテンツとして提供予定の放送番組があると判定された場合、その後に上記判別ステップが実行される。そして、ステップＳ１００６においてＶＯＤアイコンの付加とともに、課金アイコン１２０１の付加が行われる。
【００６７】
このように課金アイコン１２０１が付加された放送番組を表すＥＰＧとしては、例えば図１３に示すようなＥＰＧが表示される。
【００６８】
また、ＶＯＤでコンテンツとして提供予定の放送番組に対応付けて、図１４に示すような視聴時間１３０１、課金情報１３０２、金額情報１３０３、コマーシャルの有無情報１３０４、アクセスポイント情報１３０５の各付帯情報を付加することができる。これらの情報は、ＥＩＴに含まれる。
【００６９】
ここで、例えばＶＯＤでコンテンツとして提供予定の放送番組例えば音楽Ｃに対して視聴可能期間１３０１が付加されていれば、ＥＰＧに表示されている番組音楽Ｃに対して、その視聴時間を示すアイコンを付加するようにすることもできる。
【００７０】
また、ＥＰＧにおいて、上記情報１３０１〜１３０５を詳細に表示するためのアイコンを設け、当該アイコンを例えばクリック操作することによって、上記情報１３０１〜１３０５を詳細に表示するようにすることも可能である。
【００７１】
（第３の実施の形態）
次に、本発明の第３の実施の形態について図１５〜図１７を参照しながら説明する。図１５は本発明の第３の実施の形態に係るテレビ装置の構成を示すブロック図である。図１６は図１５のテレビ装置とアクセスポイントとの通信シーケンスを示す図である。図１７はアクセスポインがテレビ装置からのＨＴＴＰ  ＧＥＴに応答してテレビ装置へ返すテーブルの一例を示す図である。
【００７２】
ＶＯＤでコンテンツとして提供予定の放送番組に対して当該放送番組をＶＯＤで提供する提供元（サーバのアドレス例えばＶＯＤサーバ１１２）を示すアクセスポイント情報（提供元情報）が予めＥＩＴに含まれている場合がある。ここでは、上記第２の実施の形態で述べた図１４のアクセスポイント情報１３０５がＥＩＴに含まれているものとする。
【００７３】
本実施の形態は、過去のＥＰＧを表示し、当該ＥＰＧ内のＶＯＤでコンテンツとして提供予定の放送番組（既に放送済みの放送番組）を視聴するための操作に応じて、ＶＯＤでコンテンツとして提供予定の放送番組を視聴するための処理を行う。ここで、ＶＯＤでコンテンツとして提供予定の放送番組に対しては、アクセスポイント情報１３０５が付加されているものとする。
【００７４】
具体的には、本実施の形態のテレビ装置１３３Ａは、図１５に示すように、上記第１の実施の形態のテレビ装置１３３に対して、さらに、ＶＯＤ処理部１５０１および通信部１５０２を備える。
【００７５】
ＣＰＵ３１８は、視聴者によりＥＰＧ内のＶＯＤでコンテンツとして提供予定の放送番組に付加されているＶＯＤが選択されたことを検出すると、ＶＯＤ処理部１５０１に対して、ＶＯＤによるコンテンツの提供を受けるための通信の開始を指示する。ここで、本実施の形態においては、ＶＯＤでのコンテンツ要求が、ＨＴＴＰプロトコルに従って行われるものとする。ＶＯＤ処理部１５０１は、通信部１５０２を介して、アクセスポイント情報が示すアクセスポイントに対して、ＨＴＴＰのＧＥＴを送信する。例えば図１４に示すアクセスポイント情報１３０５の場合、
http://www.videoondemand.server/Music-C
に対して、ＨＴＴＰのＧＥＴが送信されることになる。
【００７６】
具体的には、図１６に示すように、ＣＰＵ３１８は、視聴者からのＶＯＤ開始要求（ＶＯＤ  Ｓｔａｒｔ）１４０１を検出すると、ＶＯＤ処理部１５０１に対してＶＯＤによる映像の提供を受けるための通信の開始を指示する。この指示を受けたＶＯＤ処理部１５０１は、通信部１５０２に対して、アクセスポイント情報１３０５が示すアクセスポイントＡＰのＨＴＴＰのＧＥＴ送信を要求する。通信部１５０２は、実際のＨＴＴＰ  ＧＥＴ１４０２をアクセスポイントＡＰに対して送信する。アクセスポイントＡＰは、上記ＨＴＴＰのＧＥＴに対するレンスポンスデータ１４０３として、図１７のテーブル１６００をテレビ装置１３３Ａに返す。テーブル１６００には、実際のコンテンツアドレス１６０１、再生時間１６０２、特殊再生用のトリックプレイテーブル１６０３が含まれる。
【００７７】
上記テーブル１６００を受信したテレビ装置１３３Ａにおいては、ＣＰＵ３１８が視聴者からの再生開始指示または停止指示（Ｃｏｎｔｒｏｌ（Ｐｌａｙ／Ｓｔｏｐ））１４０４を待つ。ここで、ＣＰＵ３１８が視聴者からの再生開始指示を検出すると、ＶＯＤ処理部１５０１に対して、上記テーブル１６００に含まれるコンテンツアドレス１６０１へのＨＴＴＰ  ＧＥＴ送信を要求するように指示する。この指示を受けたＶＯＤ処理部１５０１は、通信部１５０２に対して、上記テーブル１６００に含まれるコンテンツアドレス１６０１へのＨＴＴＰ  ＧＥＴ送信を要求する。通信部１５０２は、実際のＨＴＴＰ  ＧＥＴ１４０５を上記テーブル１６００に含まれるコンテンツアドレス１６０１に対して送信する。そして、上記ＨＴＴＰ  ＧＥＴのレスポンスデータ１４０６として、実際の映像データを、テレビ装置１３３Ａに返す。上記映像データを受信したテレビ装置１３３Ａにおいては、ＣＰＵ３１８は、当該受信した映像をモニタ３１７に表示するように制御する。また、テレビ装置１３３Ａは、特殊再生用のトリックプレイテーブル１６０３に従って、アドレスを替えるようにＨＴＴＰ  ＧＥＴの送信を行うことによって、早送りなどの特殊再生を行うこともできる。
【図面の簡単な説明】
【００７８】
【図１】本発明の第１の実施の形態に係るテレビ装置に放送番組を供給するケーブルテレビ事業者の放送システムの構成例を模式的に示す図である。
【図２】ＭＰＥＧ２−ＴＳのストリーム内におけるＥＰＧ情報の構成例を示す図である。
【図３】図１のテレビ装置１３３の構成を示すブロック図である。
【図４】図３のＤｅｍｕｘ処理部３１３のＥＩＴの抽出動作の手順を示すフローチャートである。
【図５】ＭＧＴ内に含まれるＥＩＴの一例を示す図である。
【図６】図３のＥＰＧ処理部３２０の処理の手順を示すフローチャートである。
【図７】ＥＩＴのプログラムストリームから抽出された表示に必要な情報の一覧を示す図である。
【図８】ＶＣＴに含まれる情報の一部を示す図である。
【図９】メモリ３１９に保持されている図７のＥＩＴおよび図８のＶＣＴに基づいて作成されたＥＰＧの表示画面の一例を示す図である。
【図１０】ＥＰＧの表示処理の手順を示すフローチャートである。
【図１１】現在視聴中の放送番組の映像にＶＯＤアイコンを重畳して表示する画面例を示す図である。
【図１２】本発明の第２の実施の形態に係るテレビ装置が受信するＥＩＴの構成例を示す図である。
【図１３】課金アイコン１２０１が付加されたＥＰＧの表示例を示す図である。
【図１４】ＶＯＤで放送される番組に対して付加される情報の一例を示す図である。
【図１５】本発明の第３の実施の形態に係るテレビ装置の構成を示すブロック図である。
【図１６】図１５のテレビ装置とアクセスポイントとの通信シーケンスを示す図である。
【図１７】アクセスポインがテレビ装置からのＨＴＴＰ  ＧＥＴに応答してテレビ装置へ返すテーブルの一例を示す図である。
【符号の説明】
【００７９】
１３３，１３３Ａ  テレビ装置
３１１  チューナ  
３１３  Ｄｅｍｕｘ処理部
３１６  映像Ｍｕｘ部
３１７  モニタ
３１８  ＣＰＵ
３１９  メモリ
３２０  ＥＰＧ処理部
３２１  表示画面制御部
１５０１  ＶＯＤ処理部
１５０２  通信部
【図１】
2008263434.tif 000003
【図２】
2008263434.tif 000004
【図３】
2008263434.tif 000005
【図４】
2008263434.tif 000006
【図５】
2008263434.tif 000007
【図６】
2008263434.tif 000008
【図７】
2008263434.tif 000009
【図８】
2008263434.tif 000010
【図９】
2008263434.tif 000011
【図１０】
2008263434.tif 000012
【図１１】
2008263434.tif 000013
【図１２】
2008263434.tif 000014
【図１３】
2008263434.tif 000015
【図１４】
2008263434.tif 000016
【図１５】
2008263434.tif 000017
【図１６】
2008263434.tif 000018
【図１７】
2008263434.tif 000019